(57)【要約】【課題】  多機能機１０が省電力表示モードに切換えられても、各コンテンツのタイトルをユーザに提供することができる技術を提供する。【解決手段】  多機能機１０は、通常モードにおいて、各コンテンツタイトル文字列１４０を表示する。多機能機１０は、通常モードにおいて、所定時間に亘って処理実行指示が入力されない場合に、省電力モードに移行する。省電力モードでは、各コンテンツタイトル文字列１４０が表示されない。多機能機１０は、省電力モードに移行する際に、省電力モード移行通知をＰＣ７０に送信するとともに、各サイトのＵＲＬ１０２をＰＣ７０に送信する。ＰＣ７０は、各サイトのＵＲＬ１０２からフィード情報をダウンロードし、各コンテンツタイトル文字列１４０を表示する。【選択図】  図１
2010061503.tif 000002
【特許請求の範囲】
【請求項１】
通信装置と、その通信装置に通信可能に接続される情報表示装置とを備える通信システムであり、
通信装置は、
各コンテンツのタイトルを少なくとも含むコンテンツ要約情報の位置情報を記憶する第１位置情報記憶手段と、
第１位置情報記憶手段に記憶されている位置情報から前記コンテンツ要約情報を取得する第１要約情報取得手段と、
情報を表示するための第１表示手段と、
通常表示モードとその通常表示モードより省電力である省電力表示モードとを少なくとも含む複数の表示モードの中で第１表示手段の表示モードを切換える切換手段と、
通常表示モードでは第１要約情報取得手段によって取得された前記コンテンツ要約情報に含まれる各コンテンツのタイトルを第１表示手段で表示させ、省電力表示モードでは各コンテンツのタイトルを第１表示手段で表示させない第１表示制御手段と、
切換手段が第１表示手段の表示モードを通常表示モードから省電力表示モードに切換える場合に、第１コマンドを情報表示装置に送信する第１コマンド送信手段とを有し、
情報表示装置は、
情報を表示するための第２表示手段と、
通信装置から送信された第１コマンドを受信する第１コマンド受信手段と、
第１コマンド受信手段によって第１コマンドが受信された場合に、前記コンテンツ要約情報に含まれる各コンテンツのタイトルを第２表示手段で表示させる第２表示制御手段とを有する
ことを特徴とする通信システム。
【請求項２】
第１要約情報取得手段は、予め設定されている更新タイミングに従って前記コンテンツ要約情報を取得し、
第１要約情報取得手段は、第１表示手段の表示モードが省電力表示モードである間は前記コンテンツ要約情報を取得しない
ことを特徴とする請求項１に記載の通信システム。
【請求項３】
情報表示装置は、前記コンテンツ要約情報の位置情報を記憶する第２位置情報記憶手段と、第２位置情報記憶手段に記憶されている位置情報から前記コンテンツ要約情報を取得する第２要約情報取得手段とをさらに有し、
第２表示制御手段は、第２要約情報取得手段によって取得された前記コンテンツ要約情報に含まれる各コンテンツのタイトルを第２表示手段で表示させる
ことを特徴とする請求項１又は２に記載の通信システム。
【請求項４】
第１コマンド送信手段は、第１コマンドを情報表示装置に送信するとともに、第１位置情報記憶手段に記憶されている位置情報を情報表示装置に送信し、
第１コマンド受信手段は、通信装置から送信された第１コマンドを受信するとともに、通信装置から送信された位置情報を受信し、
第２位置情報記憶手段は、第１コマンド受信手段によって受信された位置情報を記憶する
ことを特徴とする請求項３に記載の通信システム。
【請求項５】
通信装置は、切換手段が第１表示手段の表示モードを省電力表示モードから通常表示モードに切換える場合に、第２コマンドを情報表示装置に送信する第２コマンド送信手段をさらに有し、
情報表示装置は、通信装置から送信された第２コマンドを受信する第２コマンド受信手段と、第２コマンド受信手段によって第２コマンドが受信された場合に、第２要約情報取得手段によって取得された前記コンテンツ要約情報を通信装置に送信するコンテンツ要約情報送信手段とをさらに有し、
通信装置は、情報表示装置から送信された前記コンテンツ要約情報を受信するコンテンツ要約情報受信手段をさらに有し、
第１表示制御手段は、省電力表示モードから切換えられた通常表示モードでは、コンテンツ要約情報受信手段によって受信された前記コンテンツ要約情報に含まれる各コンテンツのタイトルを第１表示手段で表示させる
ことを特徴とする請求項３又は４に記載の通信システム。
【請求項６】
第１要約情報取得手段は、予め設定されている第１更新タイミングに従って前記コンテンツ要約情報を取得し、
第２要約情報取得手段は、予め設定されている第２更新タイミングに従って前記コンテンツ要約情報を取得し、
第１表示制御手段は、省電力表示モードから切換えられた通常表示モードでは、
（１）次の第１更新タイミングまでの第１期間は、コンテンツ要約情報受信手段によって受信された前記コンテンツ要約情報に含まれる各コンテンツのタイトルを第１表示手段で表示させ、
（２）当該次の第１更新タイミングで第１要約情報取得手段によって前記コンテンツ要約情報が取得された後の第２期間は、第１要約情報取得手段によって取得された前記コンテンツ要約情報に含まれる各コンテンツのタイトルを第１表示手段で表示させる
ことを特徴とする請求項５に記載の通信装置。
【請求項７】
第１表示制御手段は、各コンテンツのタイトルを順に第１表示手段に表示させ、
第２表示制御手段は、各コンテンツのタイトルを順に第２表示手段に表示させ、
コンテンツ要約情報送信手段は、第２コマンド受信手段によって第２コマンドが受信された場合に、第２要約情報取得手段によって取得された前記コンテンツ要約情報と、第２表示手段においていずれのタイトルまで表示されたのかを示す表示履歴情報とを通信装置に送信し、
コンテンツ要約情報受信手段は、情報表示装置から送信された前記コンテンツ要約情報と表示履歴情報とを受信し、
第１表示制御手段は、コンテンツ要約情報受信手段によって受信された表示履歴情報に基づいて、情報表示装置で表示されなかったタイトルから第１表示手段に表示させる
ことを特徴とする請求項５又は６に記載の通信システム。
【請求項８】
情報表示装置に通信可能に接続される通信装置であり、
各コンテンツのタイトルを少なくとも含むコンテンツ要約情報の位置情報を記憶する位置情報記憶手段と、
位置情報記憶手段に記憶されている位置情報から前記コンテンツ要約情報を取得する要約情報取得手段と、
情報を表示するための表示手段と、
通常表示モードとその通常表示モードより省電力である省電力表示モードとを少なくとも含む複数の表示モードの中で表示手段の表示モードを切換える切換手段と、
通常表示モードでは要約情報取得手段によって取得された前記コンテンツ要約情報に含まれる各コンテンツのタイトルを表示手段で表示させ、省電力表示モードでは各コンテンツのタイトルを表示手段で表示させない表示制御手段と、
切換手段が表示手段の表示モードを通常表示モードから省電力表示モードに切換える場合に、予め決められている所定のコマンドを情報表示装置に送信するコマンド送信手段と
を備える通信装置。
【請求項９】
請求項８に記載の通信装置に通信可能に接続される情報表示装置のためのコンピュータプログラムであり、
通信装置から送信された前記所定のコマンドを受信するコマンド受信処理と、
コマンド受信処理で前記所定のコマンドが受信された場合に、前記コンテンツ要約情報に含まれる各コンテンツのタイトルを表示させる表示制御処理と
をコンピュータに実行させるコンピュータプログラム。
【発明の詳細な説明】
【技術分野】
【０００１】
本発明は、ネットワーク上で公開されているコンテンツのタイトルを表示するための通信システムに関する。
【背景技術】
【０００２】
様々なコンテンツがネットワーク上で公開されている。各コンテンツのタイトルを含むコンテンツ要約情報を公開しているサーバが存在する。コンテンツ要約情報の一例として、例えば、フィード情報（Ｆｅｅｄ）を挙げることができる。フィード情報のフォーマットとしては、例えば、ＲＳＳやＡｔｏｍが存在する。下記の非特許文献１には、フィード情報を取得して各コンテンツのタイトルを表示するためのソフトウェアが開示されている。このソフトウェアをパーソナルコンピュータ（以下ではＰＣと呼ぶ）にインストールすると、ユーザは、各コンテンツのタイトルを見ることができる。また、通常表示モードと省電力表示モードとの間で表示モードが切換えられるデバイス（以下では表示モード切換可能デバイスと呼ぶ）が広く知られている。表示モード切換可能デバイスの一例として、例えば、プリンタ、スキャナ、多機能機等を挙げることができる。
【０００３】
【非特許文献１】小津智幸、“ＲＳＳ対応サイトの配信記事タイトルを電光掲示板風に表示「Ｄｉｒｔｙ  Ｎｅｗｓ  Ｒｅａｄｅｒ」”、［Ｏｎｌｉｎｅ］、平成１６年５月２６日、Ｉｍｐｒｅｓｓ  Ｃｏｒｐｏｒａｔｉｏｎ、［平成２０年７月２９日検索］、インターネット、＜ｈｔｔｐ：／／ｗｗｗ．ｆｏｒｅｓｔ．ｉｍｐｒｅｓｓ．ｃｏ．ｊｐ／ａｒｔｉｃｌｅ／２００４／０５／２６／ｄｉｒｔｙｎｅｗｓｒｅａｄｅｒ．ｈｔｍｌ＞
【発明の開示】
【発明が解決しようとする課題】
【０００４】
本発明者らは、各コンテンツのタイトルを表示する新規な表示モード切換可能デバイスの開発に携わっている。このデバイスでは、通常表示モードにおいて、各コンテンツのタイトルが表示される。本発明者らは、消費電力をセーブするために、省電力表示モードでは、各コンテンツのタイトルが表示されない構成を採用することを考えている。この構成の場合、通常表示モードから省電力表示モードに切換えられると、各コンテンツのタイトルの表示が中止されることになる。従って、ユーザが各コンテンツのタイトルを見ている途中で、それらの表示が中止される可能性がある。ユーザが省電力表示モードから通常表示モードに再び切換えれば、ユーザは、各コンテンツのタイトルを見ることができる。しかしながら、この場合、表示モード切換可能デバイスの消費電力をセーブすることができない。
【０００５】
本明細書では、通常表示モードから省電力表示モードに切換えられても、各コンテンツのタイトルをユーザに提供することができる技術を提供する。
【課題を解決するための手段】
【０００６】
本発明者らは、表示モード切換可能デバイス（例えばプリンタ等）が他のデバイス（例えばＰＣ等）に接続されて利用されるという点に着目した。即ち、表示モード切換可能デバイスにおいて通常表示モードから省電力表示モードに切換えられる場合に、他のデバイスにおいて各コンテンツのタイトルを表示させるようにすれば、表示モード切換可能デバイスが省電力表示モードに切換えられても、各コンテンツのタイトルをユーザに提供することができる。表示モード切換可能デバイスの消費電力をセーブしながら、各コンテンツのタイトルをユーザに提供することができる。本明細書によって開示される技術は、このような知見に鑑みて創作されたものであり、以下の構成を備える。
【０００７】
本明細書によって開示される技術は、通信装置と、その通信装置に通信可能に接続される情報表示装置とを備える通信システムである。上記の「情報表示装置」という用語は、情報を表示することができるあらゆるデバイスを含む概念である。情報表示装置の一例として、ＰＣ、テレビ等を挙げることができる。
【０００８】
通信装置は、第１位置情報記憶手段と第１要約情報取得手段と第１表示手段と切換手段と第１表示制御手段と第１コマンド送信手段とを有する。第１位置情報記憶手段は、各コンテンツのタイトルを少なくとも含むコンテンツ要約情報の位置情報を記憶する。上記の「位置情報」という用語は、コンテンツ要約情報の位置を特定することができるあらゆる情報を含む概念である。位置情報の一例として、例えば、ＵＲＬ（Ｕｎｉｆｏｒｍ  Ｒｅｓｏｕｒｃｅ  Ｌｏｃａｔｏｒ）等を挙げることができる。なお、コンテンツは、テキストデータであってもよいし、他の種類のデータ（画像データ、音楽データ、映像データ）であってもよい。第１要約情報取得手段は、第１位置情報記憶手段に記憶されている位置情報からコンテンツ要約情報を取得する。第１表示手段は、情報を表示することができる。切換手段は、通常表示モードとその通常表示モードより省電力である省電力表示モードとを少なくとも含む複数の表示モードの中で第１表示手段の表示モードを切換える。第１表示制御手段は、通常表示モードでは第１要約情報取得手段によって取得されたコンテンツ要約情報に含まれる各コンテンツのタイトルを第１表示手段で表示させ、省電力表示モードでは各コンテンツのタイトルを第１表示手段で表示させない。なお、通常表示モードでは、各コンテンツのタイトルが常に表示されてもよいし、そうでなくてもよい。また、省電力表示モードでは、情報が何も表示されなくてもよいし、情報が表示されてもよい。第１コマンド送信手段は、切換手段が第１表示手段の表示モードを通常表示モードから省電力表示モードに切換える場合に、第１コマンドを情報表示装置に送信する。
【０００９】
情報表示装置は、第２表示手段と第１コマンド受信手段と第２表示制御手段とを有する。第２表示手段は、情報を表示することができる。第１コマンド受信手段は、通信装置から送信された第１コマンドを受信する。第２表示制御手段は、第１コマンド受信手段によって第１コマンドが受信された場合に、上記のコンテンツ要約情報に含まれる各コンテンツのタイトルを第２表示手段で表示させる。なお、情報表示装置が各コンテンツのタイトルを取得する手法は特に限定されない。（１）例えば、情報表示装置は、通信装置から上記のコンテンツ要約情報の位置情報を取得し、その位置情報にアクセスすることによってコンテンツ要約情報（各コンテンツのタイトル）を取得してもよい。（２）また、例えば、情報表示装置は、上記のコンテンツ要約情報の位置情報を予め記憶しておき、その位置情報にアクセスすることによってコンテンツ要約情報を取得してもよい。（３）また、例えば、通信装置から情報表示装置に各コンテンツのタイトルを送信するように構成されていてもよい。上記の（１）〜（３）のいずれの手法を利用しても、情報表示装置が各コンテンツのタイトルを取得することができる。
【００１０】
上記の技術によると、通信装置において通常表示モードから省電力表示モードに切換えられる場合に、情報表示装置において各コンテンツのタイトルを表示することができる。通信装置が省電力表示モードに切換えられても、各コンテンツのタイトルをユーザに提供することができる。
【００１１】
第１要約情報取得手段は、予め設定されている更新タイミングに従ってコンテンツ要約情報を取得してもよい。第１要約情報取得手段は、第１表示手段の表示モードが省電力表示モードである間はコンテンツ要約情報を取得しなくてもよい。この構成によると、省電力表示モードにおいて消費電力をよりセーブすることができる。
【００１２】
情報表示装置は、コンテンツ要約情報の位置情報を記憶する第２位置情報記憶手段と、第２位置情報記憶手段に記憶されている位置情報からコンテンツ要約情報を取得する第２要約情報取得手段とをさらに有していてもよい。第２表示制御手段は、第２要約情報取得手段によって取得されたコンテンツ要約情報に含まれる各コンテンツのタイトルを第２表示手段で表示させてもよい。
【００１３】
なお、第１コマンド送信手段は、第１コマンドを情報表示装置に送信するとともに、第１位置情報記憶手段に記憶されている位置情報を情報表示装置に送信してもよい。第１コマンド受信手段は、通信装置から送信された第１コマンドを受信するとともに、通信装置から送信された位置情報を受信してもよい。第２位置情報記憶手段は、第１コマンド受信手段によって受信された位置情報を記憶してもよい。一方において、情報表示装置は、例えば、コンテンツ要約情報の位置情報を入力することをユーザに許容してもよい。この場合、第２位置情報記憶手段は、ユーザによって入力された位置情報を記憶してもよい。
【００１４】
通信装置は、切換手段が第１表示手段の表示モードを省電力表示モードから通常表示モードに切換える場合に、第２コマンドを情報表示装置に送信する第２コマンド送信手段をさらに有していてもよい。情報表示装置は、通信装置から送信された第２コマンドを受信する第２コマンド受信手段と、第２コマンド受信手段によって第２コマンドが受信された場合に、第２要約情報取得手段によって取得されたコンテンツ要約情報を通信装置に送信するコンテンツ要約情報送信手段とをさらに有していてもよい。通信装置は、情報表示装置から送信されたコンテンツ要約情報を受信するコンテンツ要約情報受信手段をさらに有していてもよい。第１表示制御手段は、省電力表示モードから切換えられた通常表示モードでは、コンテンツ要約情報受信手段によって受信されたコンテンツ要約情報に含まれる各コンテンツのタイトルを第１表示手段で表示させてもよい。この構成によると、通信装置は、情報表示装置で取得されたコンテンツ要約情報に従って各コンテンツのタイトルを表示することができる。通信装置は、コンテンツ要約情報の位置情報にアクセスしてコンテンツ要約情報を取得しなくても（ただし後述のように取得してもよい）、各コンテンツのタイトルを表示することができる。
【００１５】
第１要約情報取得手段は、予め設定されている第１更新タイミングに従ってコンテンツ要約情報を取得してもよい。第２要約情報取得手段は、予め設定されている第２更新タイミングに従ってコンテンツ要約情報を取得してもよい。第１表示制御手段は、省電力表示モードから切換えられた通常表示モードでは、（１）次の第１更新タイミングまでの第１期間は、コンテンツ要約情報受信手段によって受信されたコンテンツ要約情報に含まれる各コンテンツのタイトルを第１表示手段で表示させ、（２）当該次の第１更新タイミングで第１要約情報取得手段によってコンテンツ要約情報が取得された後の第２期間は、第１要約情報取得手段によって取得されたコンテンツ要約情報に含まれる各コンテンツのタイトルを第１表示手段で表示させてもよい。この構成によると、通信装置は、省電力表示モードから通常表示モードに切換えられてから次の第１更新タイミングまでの第１期間の間は、情報表示装置で取得されたコンテンツ要約情報に従って各コンテンツのタイトルを表示することができる。通信装置は、コンテンツ要約情報の位置情報にアクセスしなくても、第１期間に表示するために必要なコンテンツ要約情報を取得することができる。その後に第１更新タイミングに到達すると、通信装置は、最新のコンテンツ要約情報を取得することができる。通信装置は、最新の各コンテンツのタイトルを表示することができる。
【００１６】
第１表示制御手段は、各コンテンツのタイトルを順に第１表示手段に表示させてもよい。第２表示制御手段は、各コンテンツのタイトルを順に第２表示手段に表示させてもよい。コンテンツ要約情報送信手段は、第２コマンド受信手段によって第２コマンドが受信された場合に、第２要約情報取得手段によって取得されたコンテンツ要約情報と、第２表示手段においていずれのタイトルまで表示されたのかを示す表示履歴情報とを通信装置に送信してもよい。なお、上記の「表示履歴情報」という用語は、第２表示手段においていずれのタイトルまで表示されたのかを認識することができるあらゆる情報を含む概念である。例えば、表示履歴情報は、表示済のタイトルを示す情報であってもよいし、未表示のタイトルを示す情報であってもよいし、表示済のタイトルと未表示のタイトルの両方を示す情報であってもよい。コンテンツ要約情報受信手段は、情報表示装置から送信されたコンテンツ要約情報と表示履歴情報とを受信してもよい。第１表示制御手段は、コンテンツ要約情報受信手段によって受信された表示履歴情報に基づいて、情報表示装置で表示されなかったタイトルから第１表示手段に表示させる。この構成によると、通信装置が省電力表示モードから通常表示モードに切換えられた場合に、その省電力表示モードの間に情報表示装置で表示されたタイトルの続きのタイトルから通信装置に表示される。情報表示装置で表示されたタイトルは、ユーザが既に見ていることが予想される。ユーザが既に見ていることが予想されるタイトルの続きのタイトルから通信装置で表示させることができる。
【００１７】
なお、上記の通信装置の単体も新規な技術と言える。また、上記の通信装置に通信可能に接続される情報表示装置のためのコンピュータプログラムも有用である。このコンピュータプログラムは、通信装置から送信された所定のコマンド（通常表示モードから省電力表示モードに切換えられる場合に送信されるコマンド）を受信するコマンド受信処理と、コマンド受信処理で上記の所定のコマンドが受信された場合に、上記のコンテンツ要約情報に含まれる各コンテンツのタイトルを表示させる表示制御処理とをコンピュータに実行させる。このコンピュータプログラムを用いると、上記の情報表示装置を実現することができる。
【発明を実施するための最良の形態】
【００１８】
ここでは、以下の実施例に記載の技術の特徴の一部をまとめておく。
（形態１）コンテンツのことを「サイト内の複数の情報のうちの１つの情報」と言い換えてもよい。上記の複数の情報のそれぞれは、１つのＵＲＬに対応している。従って、コンテンツのことを「サイト内の１つのＵＲＬに対応している情報」と言い換えることもできる。また、コンテンツ要約情報のことを「フィード情報」と言い換えてもよい。
【００１９】
（形態２）コンテンツ要約情報は、サイト情報を含んでいてもよい。サイト情報は、サイトのタイトルを含んでいてもよい。コンテンツ要約情報は、複数のコンテンツのそれぞれについて、当該コンテンツのタイトル文字列と当該コンテンツのＵＲＬとを含んでいてもよい。コンテンツ要約情報は、複数のコンテンツのそれぞれについて、当該コンテンツが更新された日時を示す情報を含んでいてもよい。コンテンツ要約情報は、複数のコンテンツのそれぞれについて、当該コンテンツの文字列が要約された要約文字列を含んでいてもよい。要約文字列は、コンテンツのタイトル文字列より多い文字列であってもよい。コンテンツの全体の文字列より少ない文字列であってもよい。
【００２０】
（形態３）通信装置は、上記の情報表示装置の識別情報を記憶することが可能である識別情報記憶手段をさらに備えていてもよい。上記の「識別情報」という用語は、情報表示装置を識別することができるあらゆる情報を含む概念である。識別情報の例として、ＩＰアドレス、ＭＡＣアドレス、デバイス名、ホスト名、ユーザ名等を挙げることができる。なお、識別情報記憶手段は、ユーザによって入力された識別情報を記憶してもよいし、識別情報を予め記憶していてもよい（例えばベンダによって設定されていてもよい）。
【００２１】
（形態４）通信装置は、上記の情報表示装置からの情報を受信する情報受信手段をさらに備えていてもよい。第１コマンド送信手段は、上記の情報表示装置からの情報が情報受信手段によって受信されたことを条件として、第１コマンドを上記の情報表示装置に送信してもよい。情報表示装置が起動していなければ、情報表示装置からの情報は受信されない。通信装置は、情報表示装置からの情報を受信することによって、情報表示装置が起動しているのか否かを知ることができる。この構成では、情報表示装置が起動している場合に、第１コマンドを情報表示装置に送信することができる。なお、上記の「条件として」という用語は、他の条件（ＡＮＤ条件及び／又はＯＲ条件）が付加されるのを排除するものではない。「条件として」という用語を使用した場合、他の条件が付加されてもよい。以下でも、「条件として」という用語を使用する場合は同様である。なお、情報表示装置が上記の情報を通信装置に送信するタイミングは特に限定されない。情報表示装置は、例えば、自身が起動した際に上記の情報を通信装置に送信するように構成されていてもよい。また、通信装置が所定のタイミングで情報表示装置に信号を送信し、それに応答することによって情報表示装置が上記の情報を通信装置に送信してもよい。
【実施例】
【００２２】
（第１実施例）
図面を参照して実施例を説明する。図１は、本実施例の多機能機システム２の概略図を示す。多機能機システム２は、多機能機１０と複数のＰＣ７０，７１と複数のコンテンツ提供サーバ９０，９１と備える。なお、図１では、１つの多機能機１０と２つのＰＣ７０，７１と２つのコンテンツ提供サーバ９０，９１しか示されていないが、これらの数は適宜変更することができる。多機能機１０は、ＬＡＮ回線４に接続されている。各ＰＣ７０，７１は、ＬＡＮ回線４に接続されている。ＬＡＮ回線４は、ルータ６を介してインターネット８に接続されている。各コンテンツ提供サーバ９０，９１は、インターネット８に接続されている。本実施例では、コンテンツ提供サーバ９０が１つのサイトを公開しており、コンテンツ提供サーバ９１が１つのサイトを公開している。各サイトは、複数のコンテンツを含んでいる。さらに、各コンテンツ提供サーバ９０，９１は、自身のサイトが含んでいる複数のコンテンツの要約情報であるフィード情報（ＲＳＳ形式のフィード情報）を記憶している。これらの情報の具体的な内容については、後で詳しく説明する。
【００２３】
（ＰＣの構成）
図１は、ＰＣ７０の構成を示す。ＰＣ７１も、ＰＣ７０と同様の構成を有する。ＰＣ７０は、ＣＰＵ７２とハードディスク７４と表示部８２と操作部８４等を有する。なお、図１には示されていないが。ＰＣ７０は、ＬＡＮ回線４に接続されているネットワークインターフェイスも有している。
【００２４】
ＣＰＵ７２は、ハードディスク７４に記憶されているプログラム７６〜７９に従って様々な処理を実行する。ＣＰＵ７２が実行する処理については、後で詳しく説明する。ハードディスク７４は、様々なプログラム７６〜７９を記憶している。基本プログラム７６は、ＰＣ７０の基本的な動作を制御するためのプログラムである。基本プログラム７６は、例えば、インターネット８のサイトからコンテンツをダウンロードして表示するためのブラウザを含んでいる。常駐ソフト７８は、多機能機１０にＰＣ起動通知を送信したり、多機能機１０からの指示に従って動作したりするためのプログラムである。ＰＣ起動通知については、後で詳しく説明する。フィード情報リーダーソフト７９は、フィード情報をダウンロードして表示するためのプログラムである。これらのソフト７８，７９は、例えば、コンピュータ読取可能媒体からＰＣ７０にインストールされる。また、これらのソフト７８，７９は、例えば、インターネット８のサイトからダウンロードされてＰＣ７０にインストールされてもよい。
【００２５】
ハードディスク７４は、設定ファイル８０を記憶している。設定ファイル８０は、多機能機１０のＩＰアドレスを含んでいる。設定ファイル８０の記憶内容は、例えば、ユーザによって設定される。設定ファイル８０の記憶内容がどのようにして利用されるのかについては、後で詳しく説明する。ハードディスク７４は、上記の各情報７６〜８０以外の情報を記憶するための記憶領域８１を有している。記憶領域８１にどのような情報が記憶されるのかについては、必要に応じて後で説明する。
【００２６】
表示部８２は、様々な情報を表示することができる。表示部８２は、比較的に大きい表示画面を有する。表示部８２は、多機能機１０が有する表示パネル５０（図２参照）より大きい表示画面を有する。操作部８４は、キーボードやマウスによって構成される。ユーザは、操作部８４を操作することによって、様々な指示や情報をＰＣ７０に入力することができる。
【００２７】
（多機能機の構成）
図２は、多機能機１０の構成を示す。多機能機１０は、制御部１２と表示パネル５０とキーパッド５２と印刷部５４とスキャン部５６とＦＡＸ部５８とネットワークインターフェイス６０とＰＳＴＮインターフェイス６２等を有する。制御部１２は、ＣＰＵ１４とＲＯＭ１６とＲＡＭ３０とＮＶＲＡＭ４０等を有する。
【００２８】
ＣＰＵ１４は、ＲＯＭ１６に記憶されているプログラム１８〜２６に従って様々な処理を実行する。ＣＰＵ１４が実行する処理については、後で詳しく説明する。ＲＯＭ１６は、様々なプログラム１８〜２６を記憶している。基本機能プログラム１８は、多機能機１０の基本的な動作を制御するためのプログラムである。基本機能プログラム１８は、例えば、表示パネル５０に表示される表示データを生成するためのプログラムを含んでいる。また、基本機能プログラム１８は、例えば、印刷部５４、スキャン部５６、ＦＡＸ部５８等を制御するためのプログラムを含んでいる。インターネット接続プログラム２０は、インターネット８に接続するためのプログラムである。フィード情報解析プログラム２２は、コンテンツ提供サーバ９０，９２から取得されるフィード情報を解析し、表示パネル５０で表示するための情報（以下では表示情報と呼ぶ）を作成するためのプログラムである。フィード情報表示プログラム２４は、上記の表示情報を表示するためのプログラムである。ＰＣ管理プログラム２６は、ＰＣ７０，７１から送信されるＰＣ起動通知に従って処理を実行するためのプログラムである。より具体的に言うと、ＰＣ管理プログラム２６は、ＰＣ起動通知の送信元のＰＣに関する情報（例えばＩＰアドレスやＰＣのホスト名）を後述するＲＡＭ３０のＰＣ情報記憶領域３８に記憶させるためのプログラムである。
【００２９】
ＲＡＭ３０は、様々な記憶領域３２〜３８を有する。基本機能ワーク領域３２は、基本機能プログラム１８に従って処理が実行される過程で生成される各種データを記憶するための記憶領域である。フィード情報解析ワーク領域３４は、フィード情報解析プログラム２２に従って処理が実行される過程で作成される各種データを記憶するための記憶領域である。表示情報記憶領域３６は、フィード情報解析プログラム２２に従って作成される表示情報を記憶するための記憶領域である。ＰＣ情報記憶領域３８は、ＰＣ起動通知の送信元のＰＣに関する情報を記憶するための記憶領域である。
【００３０】
ＮＶＲＡＭ４０は、様々な記憶領域４２〜４６を有する。基本機能パラメータ記憶領域４２は、ＣＰＵ１４が基本機能プログラム１８に従って処理を実行する際に利用される各種パラメータ（例えば印刷設定、スキャン設定等）を記憶するための記憶領域である。ＵＲＬ記憶領域４４は、各コンテンツ提供サーバ９０，９１が有するフィード情報のＵＲＬを記憶するための記憶領域である。例えば、ユーザは、各コンテンツ提供サーバ９０，９１からのコンテンツ提供サービスを受けるための登録を行なう必要がある。この登録は、多機能機１０を利用して実行されてもよいし、ＰＣ７０，７１を利用して実行されてもよい。例えば、ユーザがＰＣ７０を利用してコンテンツ提供サーバ９０からのコンテンツ提供サービスを受けるための登録を行なった場合、コンテンツ提供サーバ９０のフィード情報のＵＲＬがＰＣ７０から多機能機１０に送信される。これにより、ＵＲＬ記憶領域４４にコンテンツ提供サーバ９０のフィード情報のＵＲＬが記憶される。デフォルトＰＣ情報記憶領域４６は、ＰＣのＩＰアドレスやホスト名等のＰＣを識別するための情報を記憶している。ユーザは、所望のＰＣ（例えばＰＣ７０）のＩＰアドレスやホスト名を多機能機１０に入力することができる。デフォルトＰＣ情報記憶領域４６は、ユーザによって入力されたＩＰアドレスやホスト名を記憶する。
【００３１】
表示パネル５０は、様々な情報を表示することができる。表示パネル５０の表示画面は、ＰＣ７０，７１が有する表示画面より小さい。表示パネル５０は、タッチパネルとして機能する。キーパッド５２は、複数のキーによって構成される。ユーザは、キーパッド５２を操作することによって様々な指示や情報を多機能機１０に入力することができる。印刷部５４は、インクジェットタイプ、レーザタイプ等の印刷機構を有する。スキャン部５６は、ＣＣＤ、ＣＩＳ等の読取機構を有する。ＦＡＸ部５８は、ＦＡＸ通信を実行するための各種動作を実行する。ネットワークインターフェイス６０は、ＬＡＮ回線４に接続されている。多機能機１０は、ＰＣ７０，７１と通信可能であるとともに、インターネット８にアクセス可能である。ＰＳＴＮインターフェイス６２は、図示省略しているＰＳＴＮ（Ｐｕｂｌｉｃ  Ｓｗｉｔｃｈｅｄ  Ｔｅｌｅｐｈｏｎｅ  Ｎｅｔｗｏｒｋ）に接続されている。ＰＳＴＮは、ＦＡＸ通信や電話通信を行なう際に利用される。
【００３２】
（ＵＲＬ記憶領域の記憶内容）
続いて、ＮＶＲＡＭ４０のＵＲＬ記憶領域４４（図２参照）の記憶内容について説明する。図３は、ＵＲＬ記憶領域４４の記憶内容の一例を示す。ＵＲＬ記憶領域４４は、各コンテンツ提供サーバ９０，９１のフィード情報のＵＲＬ１０２を記憶することが可能である。換言すると、ＵＲＬ記憶領域４４は、各サイトのフィード情報のＵＲＬ１０２を記憶することが可能である。図３の例では、ｎ個のＵＲＬ１０２が記憶されている。各ＵＲＬ１０２には、識別番号１００が付与されている。本実施例では、識別番号１００を符号「i」で表現する。
【００３３】
（表示情報記憶領域の記憶内容）
続いて、ＲＡＭ３０の表示情報記憶領域３６（図２参照）の記憶内容について説明する。図４は、表示情報記憶領域３６の記憶内容の一例を示す。表示情報記憶領域３６は、ＵＲＬ記憶領域４４に記憶されているＵＲＬ毎に表示情報１１２を記憶することが可能である。換言すると、表示情報記憶領域３６は、ＵＲＬ記憶領域４４に記憶されているサイト毎に表示情報１１２を記憶することが可能である。上述したように、ＵＲＬ記憶領域４４にはｎ個（ｎは１以上の整数）のＵＲＬ１０２が記憶されている（図３参照）。このために、表示情報記憶領域３６にもｎ個の表示情報１１２が記憶されている。各表示情報１１２には、識別番号１１０が付与されている。本実施例では、識別番号１１０を符号「i」で表現する。
【００３４】
個々の表示情報１１２のデータ構成について説明する。表示情報１１２は、サイト情報１２０を含んでいる。サイト情報１２０は、サイトタイトル文字列１２２とフィード更新日時情報１２４を含んでいる。サイトタイトル文字列１２２は、サイトのタイトルの文字列である。サイトのタイトルのことを「サイトの名称」と言い換えることもできる。フィード更新日時情報１２４は、コンテンツ提供サーバにおいてフィード情報が更新された日時（最新の更新日時）に関する情報である。
【００３５】
表示情報１１２は、更新コンテンツ情報１３２を含んでいる。更新コンテンツ情報１３２の数は、サイトが有するコンテンツの数に等しい。例えば、図４では、「i＝０」に対応する表示情報１１２は、ｍ個（ｍは１以上の整数）の更新コンテンツ情報１３２を有する。これは、「i＝０」に対応するサイトがｍ個のコンテンツを有することを意味する。例えば、所定のサイトにおいて天気予報に関するコンテンツとスポーツに関するコンテンツとが存在する場合、そのサイトに対応する表示情報１１２は、２個の更新コンテンツ情報１３２を有することになる。各更新コンテンツ情報１３２には、識別番号１３０が付与されている。本実施例では、識別番号１３０を符号「ｊ」で表現する。
【００３６】
各更新コンテンツ情報１３２は、コンテンツタイトル文字列１４０とコンテンツ更新日時情報１４２とコンテンツ要約文字列１４４とコンテンツＵＲＬ１４６を含んでいる。上記の例の場合、天気予報に関するコンテンツに対応する更新コンテンツ情報１３２が情報１４０〜１４６を含んでおり、スポーツに関するコンテンツに対応する更新コンテンツ情報１３２も情報１４０〜１４６を含んでいる。コンテンツタイトル文字列１４０は、コンテンツのタイトルの文字列である。コンテンツのタイトルのことを「コンテンツの名称」と言い換えることもできる。コンテンツ更新日時情報１４２は、コンテンツ提供サーバにおいてコンテンツが更新された日時（最新の更新日時）に関する情報である。コンテンツ要約文字列１４４は、コンテンツが有する文字列が要約化されたものである。換言すると、コンテンツ要約文字列１４４は、コンテンツのタイトルより多い文字列であり、コンテンツの全体の文字列より少ない文字列であり、コンテンツの内容が反映された文字列である。コンテンツＵＲＬ１４６は、コンテンツのＵＲＬである。
【００３７】
（ＰＣが実行する起動処理）
続いて、ＰＣ７０が実行する起動処理について簡単に説明しておく。ＰＣ７１も同様に処理を実行する。ＰＣ７０が起動（電源ＯＮ）されるとＯＳが起動し、その後にＯＳによって常駐ソフト７８（図１参照）が自動的に起動される。ＰＣ７０のＣＰＵ７２は、常駐ソフト７８に従って処理を実行する。ＣＰＵ７２は、設定ファイル８０（図１参照）の記憶内容を読み込む。本実施例では、設定ファイル８０に多機能機１０のＩＰアドレスが記憶されている（多機能機１０を識別することができる情報であればよく、ノード名等でも可能であり、ＩＰアドレスに限定されない）。ＣＰＵ７２は、多機能機１０にＰＣ起動通知を送信する。ＰＣ起動通知は、ＰＣ７０のＩＰアドレスやホスト名を含んでいる。ＰＣ起動通知が多機能機１０に送信されることにより、多機能機１０は、ＰＣ７０が起動したことを知ることができる。
【００３８】
（多機能機が実行する処理）
続いて、多機能機１０が実行する処理について説明する。フローチャートに示されていないが、多機能機１０のＣＰＵ１４は、ＰＣ管理プログラム２６（図２参照）に従って以下の処理を実行する。上述したように、ＰＣ７０，７１は、起動される毎にＰＣ起動通知を多機能機１０に送信する。ＣＰＵ１４は、ＰＣ起動通知を受信することを監視している。ＣＰＵ１４は、ＰＣ起動通知を受信すると、そのＰＣ起動通知に含まれるＩＰアドレスやホスト名をＰＣ情報記憶領域３８（図２参照）に記憶させる。
【００３９】
ＰＣ７０，７１は、起動している間はＰＣ起動通知を定期的に多機能機１０に送信してもよい。この場合、ＰＣ７０，７１が起動停止（電源ＯＦＦ）されると、ＰＣ起動通知が多機能機１０に送信されない。ＣＰＵ１４は、ＰＣ情報記憶領域３８に記憶されているＩＰアドレスやホスト名を有するＰＣからのＰＣ起動通知を所定時間継続して受信しなかった場合に、そのＩＰアドレスやホスト名をＰＣ情報記憶領域３８から消去する。これにより、ＰＣ情報記憶領域３８には、起動しているＰＣに関する情報のみが記憶される。
【００４０】
また、ＰＣ７０，７１は、ＰＣ起動通知を定期的に多機能機１０に送信しなくてもよい。この場合。ＰＣ７０，７１は、起動停止される毎に起動停止通知（ＩＰアドレスやホスト名を含む）を多機能機１０に送信してもよい。この形態によっても、ＣＰＵ１４は、ＰＣ７０，７１が起動停止されたことを知ることができる。ＣＰＵ１４は、起動停止通知に含まれるＩＰアドレスやホスト名をＰＣ情報記憶領域３８から消去する。この形態によっても、ＰＣ情報記憶領域３８には、起動しているＰＣに関する情報のみが記憶される。
【００４１】
（メイン処理）
続いて、多機能機１０のＣＰＵ１４が実行するメイン処理について説明する。メイン処理は、基本機能プログラム１８（図２参照）に従って実行される。図５と図６は、メイン処理のフローチャートを示す。
【００４２】
多機能機１０において電源ＯＮの操作が実行されると（Ｓ２でＹＥＳ）、ＣＰＵ１４は、表示パネル５０のバックライトをＯＮする（Ｓ４）。次いで、ＣＰＵ１４は、移行タイマをクリアしてスタートする（Ｓ６）。移行タイマは、省電力モードに移行するタイミングを決定するためのタイマであり、後で説明するＳ１２で利用される。続いて、ＣＰＵ１４は、フィード情報解析処理をスタートするとともに（Ｓ８）、フィード情報表示処理をスタートする（Ｓ１０）。フィード情報解析処理とフィード情報表示処理については、後で詳しく説明する。
【００４３】
ＣＰＵ１４は、移行タイマが所定値Ｔ１に達することを監視している（Ｓ１２）。ここでＹＥＳの場合、図６のＳ２４に進む。また、ＣＰＵ１４は、更新タイマが所定値Ｔ２に達することを監視している（Ｓ１４）。更新タイマは、フィード情報解析処理を実行するタイミングを決定するためのタイマであり、後で説明する図７のＳ５８でスタートされる。ここでＹＥＳの場合、ＣＰＵ１４は、フィード情報解析処理をスタートする（Ｓ１６）。また、ＣＰＵ１４は、ユーザからの処理実行指示が入力されることを監視している（Ｓ１８）。例えば、ユーザがキーパッド５２のいずれかのキーを操作すると、Ｓ１８でＹＥＳと判断される。また、例えば、ＰＣ７０，７１からの印刷指示が入力されると、Ｓ１８でＹＥＳと判断される。Ｓ１８でＹＥＳの場合、ＣＰＵ１４は、移行タイマをクリアしてスタートする（Ｓ２０）。なお、フローチャートには示されていないが、Ｓ１８でＹＥＳの場合、ＣＰＵ１４は、処理実行指示に応じた処理（印刷処理、スキャン処理、ＦＡＸ処理、表示処理等）を実行する。
【００４４】
上述したように、移行タイマが所定値Ｔ１に達すると、図６のＳ２４に進む。Ｓ２４では、ＣＰＵ１４は、省電力モード移行処理をスタートする。省電力モード移行処理については、後で詳しく説明する。次いで、ＣＰＵ１４は、フィード情報表示処理を終了する（Ｓ２６）。続いて、ＣＰＵ１４は、表示パネル５０のバックライトをＯＦＦする（Ｓ２８）。これにより、表示パネル５０が省電力モードに移行する。表示パネル５０が省電力モードに移行すると、ＣＰＵ１４は、ユーザからの処理実行指示が入力されるまで待機する（Ｓ３０）。ユーザからの処理実行指示が入力されると、ＣＰＵ１４は、省電力モード解除処理をスタートする（Ｓ３２）。省電力モード解除処理については、後で詳しく説明する。フローチャートには示されていないが、Ｓ３０でＹＥＳの場合、ＣＰＵ１４は、処理実行指示に応じた処理を実行する。Ｓ３２を終えると、図５のＳ４に戻る。
【００４５】
（フィード情報解析処理）
続いて、図５のＳ８又はＳ１６で実行されるフィード情報解析処理について説明する。フィード情報解析処理は、多機能機１０の電源がＯＮされた時、及び、更新タイマが所定値Ｔ２に到達する毎（図５のＳ１４でＹＥＳと判断される毎）に実行される。フィード情報解析処理は、独立したタスクとして動作し、インターネット接続プログラム２０とフィード情報解析プログラム２２（図２参照）に従って実行される。図７は、フィード情報解析処理のフローチャートを示す。
【００４６】
ＣＰＵ１４は、ＮＶＲＡＭ４０のＵＲＬ記憶領域４４（図２参照）に記憶されているＵＲＬ数（サイト数）を取得する（Ｓ４２）。図３に示されるように、本実施例では、ＵＲＬ記憶領域４４にｎ個のＵＲＬが記憶されている。このために、ＣＰＵ１４は、Ｓ４２において「ｎ」を取得する。次いで、ＣＰＵ１４は、カウンタiを初期化する（Ｓ４４）。ＣＰＵ１４は、カウンタiがｎより小さいのか否かを判断する（Ｓ４６）。ここでＹＥＳの場合、Ｓ４８に進む。
【００４７】
Ｓ４８では、ＣＰＵ１４は、ＵＲＬ記憶領域４４からi番目のサイトのＵＲＬを取得する。例えば、ゼロ番目のサイトのＵＲＬを取得する場合、図３の例では、「ｈｔｔｐ：／／ｗｗｗ．ｅｘａｍｐｌｅ０．ｃｏｍ」が取得される。次いで、ＣＰＵ１４は、インターネット接続プログラム２０に従って、Ｓ４８で取得されたＵＲＬにアクセスし、フィード情報を取得する（Ｓ５０）。フィード情報は、図４に示されるサイト情報１２０や更新コンテンツ情報１３２を含んでいる。ＣＰＵ１４は、フィード情報を解析することによって、図４に示される表示情報１１２を作成する（Ｓ５２）。ＣＰＵ１４は、Ｓ５２で作成された表示情報１１２を表示情報記憶領域３６に記憶させる（Ｓ５４）。例えば、ゼロ番目のサイトの表示情報１１２が作成された場合、ＣＰＵ１４は、番号「i＝０」に対応づけられている古い表示情報１１２をクリアし、番号「i＝０」に対応づけて新しい表示情報１１２を記憶させる。続いて、ＣＰＵ１４は、カウンタiに１を加算し（Ｓ５６）、Ｓ４６に戻る。
【００４８】
ＮＶＲＡＭ４０のＵＲＬ記憶領域４４に記憶されている全てのＵＲＬ（全てのサイトのＵＲＬ）についてＳ４８〜Ｓ５４の処理が実行されると、Ｓ４６でＮＯと判断される。この場合、ＣＰＵ１４は、更新タイマをクリアしてスタートする（Ｓ５８）。ＣＰＵ１４は、フィード情報解析処理を終了する。図７の処理を実行することにより、表示情報記憶領域３６に各サイトの最新のフィード情報が記憶される。
【００４９】
（フィード情報表示処理）
続いて、図５のＳ１０でスタートされるフィード情報表示処理について説明する。フィード情報表示処理は、図６のＳ２６で終了されるまで継続して実行される。即ち、本実施例では、通常モード（省電力モード以外の状態）では、フィード情報表示処理が継続して実行される。フィード情報表示処理は、独立したタスクとして動作し、フィード情報表示プログラム２４（図２参照）に従って実行される。図８は、フィード情報表示処理のフローチャートを示す。
【００５０】
ＣＰＵ１４は、ＮＶＲＡＭ４０のＵＲＬ記憶領域４４（図２参照）に記憶されているＵＲＬ数（サイト数）を取得する（Ｓ７２）。この処理は、図７のＳ４２の処理と同様である。本実施例では、ＣＰＵ１４は、Ｓ７２において「ｎ」を取得する。次いで、ＣＰＵ１４は、カウンタiを初期化する（Ｓ７４）。ＣＰＵ１４は、カウンタiがｎより小さいのか否かを判断する（Ｓ７６）。ここでＹＥＳの場合、Ｓ７８に進む。一方において、Ｓ７６でＮＯの場合、Ｓ７２に戻る。
【００５１】
Ｓ７８では、ＣＰＵ１４は、ＲＡＭ３０の表示情報記憶領域３６からi番目のサイトの表示情報に含まれるサイト情報を取得する。例えば、ゼロ番目のサイトの場合、図４の例では、サイト情報１２０（サイトタイトル文字列１２２とフィード更新日時情報１２４）が取得される。次いで、ＣＰＵ１４は、i番目のサイトのコンテンツ数を特定する（Ｓ８０）。例えば、ゼロ番目のサイトの場合、図４の例では、ｍ個のコンテンツが存在する。この場合、ＣＰＵ１４は、Ｓ８０において「ｍ」を特定する。次いで、ＣＰＵ１４は、カウンタｊを初期化する（Ｓ８２）。ＣＰＵ１４は、カウンタｊがｍより小さいのか否かを判断する（Ｓ８４）。ここでＹＥＳの場合、Ｓ８８に進む。
【００５２】
Ｓ８８では、ＣＰＵ１４は、ＲＡＭ３０の表示情報記憶領域３６からi番目のサイトのｊ番目の更新コンテンツ情報を取得する。これにより、１つのコンテンツのコンテンツタイトル文字列１４０とコンテンツ更新日時情報１４２とコンテンツ要約文字列１４４とコンテンツＵＲＬ１４６が取得される。次いで、ＣＰＵ１４は、Ｓ７８で取得されたサイトタイトル文字列１２２と、Ｓ８８で取得されたコンテンツタイトル文字列１４０と、Ｓ８８で取得されたコンテンツ更新日時情報１４２を表示パネル５０に送信する（Ｓ９０）。この結果、１つのコンテンツタイトル文字列１４０（i番目のサイトのｊ番目のコンテンツ文字列）が表示パネル５０で表示される。なお、コンテンツタイトル文字列１４０は、移動して表示される（例えば右から左に移動していく）。即ち、コンテンツタイトル文字列１４０は、テロップ状に表示される。なお、サイトタイトル文字列１２２やコンテンツ更新日時情報１４２は、表示パネル５０で表示されてもよいし、表示されなくてもよい。Ｓ９０を終えると、Ｓ９２に進む。
【００５３】
Ｓ９２では、ＣＰＵ１４は、１つのコンテンツタイトル文字列１４０のテロップ表示が終了したのか否かを判断する。ここでＹＥＳの場合、ＣＰＵ１４は、カウンタｊに１を加算し（Ｓ９４）、Ｓ８４に進む。このＳ８４でカウンタｊがｍより小さいと判断されると、ＣＰＵ１４は、Ｓ８８，Ｓ９０を再び実行する。これにより、次の更新コンテンツ情報に基づいて、コンテンツタイトル文字列１４０がテロップ表示される。１つのサイトの全ての更新コンテンツ情報に基づいてコンテンツタイトル文字列１４０がテロップ表示されると、Ｓ８４でＮＯと判断される。この場合、ＣＰＵ１４は、カウンタiに１を加算し（Ｓ８６）、次のサイト（例えば１番目のサイト）についてＳ７８〜Ｓ９０の処理を実行する。これにより、次のサイトの更新コンテンツ情報に基づいてコンテンツタイトル文字列１４０がテロップ表示される。
【００５４】
（省電力モード移行処理）
続いて、図６のＳ２４でスタートされる省電力モード移行処理について説明する。省電力モード移行処理は、独立したタスクとして動作し、基本機能プログラム１８（図２参照）に従って実行される。図９は、省電力モード移行処理のフローチャートを示す。
【００５５】
ＣＰＵ１４は、ＮＶＲＡＭ４０のデフォルトＰＣ情報記憶領域４６（図２参照）の記憶内容を読み出す（Ｓ１００）。次いで、ＣＰＵ１４は、デフォルトＰＣ情報記憶領域４６に記憶されているＩＰアドレスやホスト名が、ＲＡＭ３０のＰＣ情報記憶領域３８に記憶されているのか否かを判断する（Ｓ１０２）。即ち、ＣＰＵ１４は、デフォルトＰＣ情報記憶領域４６に記憶されているＰＣ（本実施例ではＰＣ７０）が起動しているのか否かを判断する。ここでＮＯの場合、後述するＳ１０４〜Ｓ１１０がスキップされ、省電力モード移行処理が終了する。
【００５６】
一方において、Ｓ１０２でＹＥＳの場合、ＣＰＵ１４は、デフォルトＰＣ情報記憶領域４６に記憶されているＰＣ７０に省電力モード移行通知を送信する（Ｓ１０４）。後で詳しく述べるが、ＰＣ７０は、省電力モード移行通知を受信すると、レスポンスを送信する。ＣＰＵ１４は、このレスポンスを受信することを監視する（Ｓ１０６）。ここでＹＥＳの場合、ＣＰＵ１４は、ＮＶＲＡＭ４０のＵＲＬ記憶領域４４（図２参照）の記憶内容を読み出す（Ｓ１０８）。次いで、ＣＰＵ１４は、Ｓ１０８で読み出された各ＵＲＬ（各サイトのＵＲＬ）をＰＣ７０に送信する（Ｓ１１０）。Ｓ１１０を終えると、省電力モード移行処理が終了する。
【００５７】
（省電力モード解除処理）
続いて、図６のＳ３２でスタートされる省電力モード解除処理について説明する。省電力モード解除処理は、独立したタスクとして動作し、基本機能プログラム１８（図２参照）に従って実行される。図１０は、省電力モード解除処理のフローチャートを示す。
【００５８】
Ｓ１２０及びＳ１２２は、図９のＳ１００及びＳ１０２と同様である。即ち、ＣＰＵ１４は、デフォルトＰＣ情報記憶領域４６に記憶されているＰＣ（本実施例ではＰＣ７０）が起動しているのか否かを判断する。Ｓ１２２でＮＯの場合、後述するＳ１２４がスキップされ、省電力モード解除処理が終了する。一方において、Ｓ１２２でＹＥＳの場合、ＣＰＵ１４は、デフォルトＰＣ情報記憶領域４６に記憶されているＰＣ７０に省電力モード解除通知を送信する（Ｓ１２４）。
【００５９】
（ＰＣが実行する通知監視処理）
続いて、ＰＣ７０が実行する通知監視処理について説明する。なお、ＰＣ７１も同様に処理を実行する。通知監視処理は、常駐ソフト７８（図１参照）に従って実行される。図１１は、通知監視処理のフローチャートを示す。
【００６０】
ＣＰＵ７２は、多機能機１０から送信される省電力モード移行通知（図９のＳ１０４参照）を受信することを監視している（Ｓ１３０）。ここでＹＥＳの場合、ＣＰＵ７２は、レスポンスを送信する（Ｓ１３２）。この結果、多機能機１０から各サイトのＵＲＬが送信される（図９のＳ１０８参照）。ＰＣ７０は、多機能機１０から送信された各サイトのＵＲＬを受信する（Ｓ１３４）。Ｓ１３４で受信された各サイトのＵＲＬは、記憶領域８１に記憶される。次いで、ＣＰＵ７２は、フィード情報リーダーソフト７９を起動する（Ｓ１３６）。
【００６１】
フィード情報リーダーソフト７９に従って、ＣＰＵ７２は、以下の各処理を実行する。
（１）ＣＰＵ７２は、多機能機１０が実行するフィード情報解析処理（図７参照）と同様の処理を実行する。即ち、ＣＰＵ７２は、Ｓ１３４で受信された各サイトのＵＲＬにアクセスし、各サイトのフィード情報をダウンロードし、各サイトのフィード情報を記憶領域８１（図１参照）に記憶する。ＣＰＵ７２は、フィード情報リーダーソフト７９が起動している間は、各サイトのフィード情報をダウンロードして記憶する処理を所定時間毎に実行する。これにより、最新のフィード情報が記憶領域８１に記憶される。
（２）ＣＰＵ７２は、多機能機１０が実行するフィード情報表示処理（図８参照）と同様の処理を実行する。即ち、ＣＰＵ７２は、上記の（１）で記憶領域８１に記憶された各サイトのフィード情報に基づいて、各コンテンツタイトル文字列１４０を順に表示する。ＣＰＵ７２は、各コンテンツタイトル文字列１４０をテロップ表示する。ＣＰＵ７２は、フィード情報リーダーソフト７９が起動している間は、各コンテンツタイトル文字列１４０をテロップ表示する処理を継続して実行する。
【００６２】
ＣＰＵ７２は、多機能機１０から送信される省電力モード解除通知（図１０のＳ１２４参照）を受信することを監視している（Ｓ１３８）。ここでＹＥＳの場合、ＣＰＵ７２は、フィード情報リーダーソフト７９を閉じるのか否かをユーザに問い合わせるための文字列を表示する（Ｓ１４０）。ユーザは、操作部８４を操作することによって、フィード情報リーダーソフト７９を閉じるのか否かを選択することができる。ＣＰＵ７２は、フィード情報リーダーソフト７９を閉じることをユーザが選択したのか否かを判断する（Ｓ１４２）。ここでＹＥＳの場合、ＣＰＵ７２は、フィード情報リーダーソフト７９を閉じる（Ｓ１４４）。この結果、フィード情報の表示が終了する。一方において、Ｓ１４４でＮＯの場合、ＣＰＵ７２は、フィード情報リーダーソフト７９を閉じずに、フィード情報の表示を継続させる。
【００６３】
本実施例の多機能機システム２について詳しく説明した。本実施例によると、多機能機１０において通常モードから省電力モードに切換えられる場合に、多機能機１０からＰＣ７０に省電力モード移行通知が送信される。ＰＣ７０は、省電力モード移行通知を受信すると、各コンテンツタイトル文字列１４０を表示する。本実施例によると、多機能機１０が省電力モードに切換えられても、各コンテンツタイトル文字列１４０をユーザに提供することができる。なお、ＰＣ７０は、起動している間は表示部８２に情報が表示されている可能性が高い（例えばブラウザ、ワープロソフト等が起動している可能性が高い）。従って、ＰＣ７０において各コンテンツタイトル文字列１４０を表示しても、ＰＣ７０の消費電力はほとんど変わらない可能性が高い。また、仮に、ＰＣ７０においてスクリーンセーバーによって表示が行なわれている際に各コンテンツタイトル文字列１４０の表示を開始しても、ＰＣ７０の消費電力が飛躍的に大きくなるわけではない。このために、多機能機１０が省電力モードに切換えられると、多機能機１０とＰＣ７０のトータルの消費電力をセーブすることができるものと考えられる。
【００６４】
また、本実施例の多機能機１０は、省電力表示モードの間はフィード情報解析処理が実行されない（図６のＳ３０で待機する）。このために、多機能機１０は、省電力モードにおいて消費電力をよりセーブすることができる。また、本実施例の多機能機１０は、省電力モード移行処理において、各サイトのＵＲＬ１０２をＰＣ７０に送信する（図９のＳ１１０参照）。後述するように、各サイトのＵＲＬ１０２の代わりに各サイトの表示情報１１２をＰＣ７０に送信する構成も考えられるが、この構成の場合、多機能機１０からＰＣ７０に送信される情報量が多くなる。本実施例によると、省電力モード移行処理において、多機能機１０からＰＣ７０に送信される情報量を少なくすることができる。この結果、多機能機１０とＰＣ７０の間の通信負荷を低減させることができる。
【００６５】
（第２実施例）
続いて、第２実施例について説明する。上記の第１実施例の多機能機１０は、省電力モード移行処理において、各サイトのＵＲＬ１０２をＰＣ７０に送信する（図９のＳ１１０参照）。本実施例では、多機能機１０は、省電力モード移行処理において、各サイトのＵＲＬ１０２をＰＣ７０に送信せず、ＲＡＭ３０の表示情報記憶領域３６に記憶されている各サイトの表示情報１１２をＰＣ７０に送信する。ＰＣ７０は、多機能機１０から送信された各サイトの表示情報１１２に基づいて、各コンテンツタイトル文字列１４０を表示する。この構成によると、ＰＣ７０は、各サイトのＵＲＬ１０２にアクセスしてフィード情報をダウンロードする必要がない。このために、ＰＣ７０は、省電力モード移行通知を受信すると（各サイトの表示情報１１２を受信すると）、各コンテンツタイトル文字列１４０をすぐに表示することができる。多機能機１０が省電力モードに切換えられてから短時間で各コンテンツタイトル文字列１４０をユーザに提供することができる。
【００６６】
（第２実施例の変形例）
第２実施例において、多機能機１０は、省電力モード移行処理において、各サイトのＵＲＬ１０２をＰＣ７０に送信するとともに、ＲＡＭ３０の表示情報記憶領域３６に記憶されている各サイトの表示情報１１２をＰＣ７０に送信してもよい。この場合、ＰＣ７０は、省電力モード移行通知を受信してからしばらくの間は、多機能機１０から送信された各サイトの表示情報１１２に基づいて、各コンテンツタイトル文字列１４０を表示してもよい。この表示が行なわれている間に、ＰＣ７０は、各サイトのＵＲＬ１０２にアクセスしてフィード情報をダウンロードしてもよい。これにより、ＰＣ７０は、最新のフィード情報を取得することができる。ＰＣ７０は、最新のフィード情報が取得されると、そのフィード情報に基づいて各コンテンツタイトル文字列１４０を表示してもよい。
【００６７】
（第３実施例）
続いて、第３実施例について説明する。本実施例では、ＰＣ７０は、多機能機１０のＮＶＲＡＭ４０のＵＲＬ記憶領域４４に記憶されている各サイトのＵＲＬ１０２を予め記憶している。例えば、多機能機１０が起動する際に、多機能機１０からＰＣ７０に各サイトのＵＲＬ１０２が送信される。また、例えば、ユーザがＰＣ７０に各サイトのＵＲＬ１０２を入力しておく。いずれの手法を利用しても、ＰＣ７０は、各サイトのＵＲＬ１０２を予め取得して記憶しておくことができる。本実施例では、多機能機１０は、省電力モード移行処理において、各サイトのＵＲＬ１０２をＰＣ７０に送信せず、省電力モード起動通知のみをＰＣ７０に送信する。ＰＣ７０は、自身が記憶している各サイトのＵＲＬ１０２にアクセスしてフィード情報をダウンロードする。本実施例によっても、多機能機１０が省電力モードに切換えられた場合に、各コンテンツタイトル文字列１４０をユーザに提供することができる。
【００６８】
なお、本実施例においても、上記の第２実施例の変形例の手法を利用することができる。即ち、多機能機１０は、省電力モード移行処理において、ＲＡＭ３０の表示情報記憶領域３６に記憶されている各サイトの表示情報１１２をＰＣ７０に送信してもよい。この場合、ＰＣ７０は、省電力モード移行通知を受信してからしばらくの間は、多機能機１０から送信された各サイトの表示情報１１２に基づいて、各コンテンツタイトル文字列１４０を表示してもよい。この表示が行なわれている間に、ＰＣ７０は、自身が記憶している各サイトのＵＲＬ１０２にアクセスしてフィード情報をダウンロードしてもよい。
【００６９】
（第４実施例）
続いて、第４実施例について説明する。本実施例では、ＰＣ７０，７１が実行する処理（常駐ソフト７８の処理）が第１実施例と異なる。本実施例では、ＰＣ７０のＣＰＵ７２は、タイトルがどこまで表示されたのか示す表示履歴情報を作成する。図１３は、表示履歴情報２００の一例を示す。表示履歴情報２００は、サイト識別番号２１０とサイトＵＲＬ２１２とコンテンツ識別番号２２０と更新コンテンツ情報２２２と表示フラグ２３０とが対応づけられたものである。
【００７０】
サイト識別番号２１０は、多機能機１０から送信される各サイトのＵＲＬを特定する番号である。図３や図４の場合と同様に、サイト識別番号２１０を符号「i」で表現している。サイトＵＲＬ２１２は、多機能機１０から送信される各サイトのＵＲＬである。コンテンツ識別番号２２０は、サイトに含まれる各コンテンツ更新情報を特定する番号である。図４の場合と同様に、コンテンツ識別番号２２０を符号「ｊ」で表現している。更新コンテンツ情報２２２は、図４の更新コンテンツ情報と同様である。本実施例では、更新コンテンツ情報２２２を符号Ｄで表現している。符号Ｄのカッコ内の左の数字はサイト識別番号に対応しており、右の数字はコンテンツ識別番号に対応している。表示フラグ２３０には、「０」と「１」のどちらかの値が挿入される。ＰＣ７０において未表示の更新コンテンツ情報に対応する表示フラグ２３０は「０」であり、ＰＣ７０において表示済の更新コンテンツ情報に対応する表示フラグ２３０は「１」になる。
【００７１】
ＣＰＵ７２は、省電力モード移行処理（図９のＳ１１０）において多機能機１０から送信された各サイトのＵＲＬ１０２を受信すると、表示履歴情報２００を作成する。まず、ＣＰＵ７２は、多機能機１０から送信された各サイトのＵＲＬ１０２に基づいて、サイト識別番号２１０の欄とサイトＵＲＬ２１２の欄に情報を書き込む。次いで、ＣＰＵ７２は、サイトＵＲＬ２１２の欄に書き込まれた各ＵＲＬからフィード情報をダウンロードする。ＣＰＵ７２は、各ＵＲＬから取得されたフィード情報に基づいて、コンテンツ識別番号２２０の欄と更新コンテンツ情報２２２の欄に情報を書き込む。最後に、ＣＰＵ７２は、表示フラグ２３０の欄に全て「０」を書き込む。
【００７２】
ＣＰＵ７２は、表示履歴情報２００の更新コンテンツ情報Ｄ（０，０）から更新コンテンツ情報Ｄ（ｎ−１，ｍｎ）まで順にコンテンツタイトル文字列をテロップ表示する。１つのコンテンツタイトル文字列の表示が終了すると、ＣＰＵ７２は、そのコンテンツタイトル文字列（更新コンテンツ情報）に対応する表示フラグ２３０を「０」から「１」に変更する。なお、ＣＰＵ７２は、表示フラグ２３０の欄の全てが「１」に変更された場合に、表示フラグ２３０の欄の全てを再び「０」に変更してもよいし、変更しなくてもよい（「１」を維持してもよい）。
【００７３】
また、本実施例では、多機能機１０が実行する省電力モード解除処理の内容が第１実施例と異なる。図１２は、本実施例の省電力モード解除処理のフローチャートを示す。Ｓ１５０〜Ｓ１５４の処理は、図９のＳ１００〜Ｓ１０４と同様である。なお、Ｓ１５２でＮＯの場合、ＣＰＵ１４は、省電力モード解除処理を終了し、図５のＳ４に進む。Ｓ１５４で省電力モード解除通知がＰＣ７０に送信されると、ＰＣ７０は、表示履歴情報２００を多機能機１０に送信する。多機能機１０は、表示履歴情報２００を受信する（Ｓ１５６）。ＣＰＵ１４は、表示履歴情報２００に含まれる更新コンテンツ情報２２２の欄に書き込まれている情報に基づいて、ＲＡＭ３０の表示情報記憶領域３６の記憶内容を更新する。これにより、ＰＣ７０で取得された各サイトの更新コンテンツ情報Ｄが表示情報記憶領域３６に記憶されることになる。
【００７４】
次いで、ＣＰＵ１４は、表示履歴情報２００に基づいて、ＰＣ７０において未表示の先頭の更新コンテンツ情報を特定する（Ｓ１６０）。具体的に言うと、ＣＰＵ１４は、未表示の先頭の更新コンテンツ情報に対応するサイト識別番号「ｉｓ」と、その更新コンテンツ情報に対応するコンテンツ識別番号「ｊｓ」とを特定する。図１３の例の場合、「i＝１」のサイト内の「ｊ＝１」の更新コンテンツ情報が、表示フラグ２３０が「０」である先頭の更新コンテンツ情報である。この場合、ＣＰＵ１４は、Ｓ１６０において、サイト識別番号「ｉｓ」として「１」を特定し、コンテンツ識別番号「ｊｓ」として「１」を特定する。
【００７５】
続いて、ＣＰＵ１４は、表示パネル５０のバックライトをＯＮする（Ｓ１６２）。次いで、ＣＰＵ１４は、移行タイマをクリアしてスタートする（Ｓ１６４）。さらに、ＣＰＵ１４は、Ｓ１６０で特定されたサイト識別番号「ｉｓ」を「i」とするとともにコンテンツ識別番号「ｊｓ」を「ｊ」として、フィード情報表示処理をスタートする（Ｓ１６６）。即ち、図８のフィード情報表示処理では、Ｓ７４において「ｉ＝ｉｓ」がセットされるとともに、Ｓ８２において「ｊ＝ｊｓ」がセットされる。この結果、「ｉ＝ｉｓ」であって「ｊ＝ｊｓ」に対応するコンテンツ更新情報に含まれるコンテンツタイトル文字列が表示される。例えば、図１３の例では、「ｉｓ＝１」であり、「ｊｓ＝１」である。この場合、多機能機１０では、更新コンテンツ情報Ｄ（１，１）に含まれるコンテンツタイトル文字列から順に表示される（Ｄ（１，１）、Ｄ（１，２）・・・と順に表示される）。Ｓ１６６を終えると、ＣＰＵ１４は、省電力モード解除処理を終了し、図５のＳ１２に進む。
【００７６】
本実施例によると、多機能機１０が省電力モードから通常モードに切換えられた場合に、その省電力モードの間にＰＣ７０で表示された各コンテンツタイトル文字列１４０の続きのコンテンツタイトル文字列１４０から多機能機１０に表示される。即ち、ＰＣ７０において未表示のコンテンツタイトル文字列１４０から優先して表示される。本実施例によると、ユーザが既に見ていることが予想される各コンテンツタイトル文字列１４０の続きのコンテンツタイトル文字列１４０から多機能機１０で表示させることができる。なお、上記の第２実施例（及びその変形例）や第３実施例に記載された内容は、本実施例でも利用することができる。
【００７７】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。上記の実施例の変形例を以下に列挙する。
【００７８】
（１）上記の実施例では、各コンテンツ提供サーバ９０，９１は、コンテンツとフィード情報の両方を記憶している。しかしながら、コンテンツを記憶するためのサーバとフィード情報を記憶するためのサーバが別体に構成されていてもよい。
【００７９】
（２）上記の実施例では、通常モード（省電力モード以外の状態）では、フィード情報表示処理が継続して実行される。しかしながら、通常モードにおいてフィード情報表示処理が継続して実行されなくてもよい。例えば、多機能機１０は、通常モードにおいて所定時間Ｔ３（Ｔ３はＴ１より小さい）に亘って処理実行指示が入力されない場合に、フィード情報表示処理を終了してもよい。
【００８０】
（３）なお、多機能機１０は、各コンテンツのタイトルから少なくとも１つのタイトルをユーザが選択することを許容してもよい。多機能機１０は、ユーザによって選択されたタイトルに対応するコンテンツ更新情報に含まれるコンテンツＵＲＬ１４６をＰＣ７０に送信してもよい。ＰＣ７０は、多機能機１０から送信されたコンテンツＵＲＬ１４６を受信し、そのコンテンツＵＲＬ１４６からコンテンツをダウンロードして表示してもよい。
【００８１】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００８２】
【図１】多機能機システムの構成を示す。
【図２】多機能機の構成を示す。
【図３】ＵＲＬ記憶領域の記憶内容の一例を示す。
【図４】表示情報記憶領域の記憶内容の一例を示す。
【図５】多機能機が実行するメイン処理のフローチャートを示す。
【図６】図５の続きのフローチャートを示す。
【図７】多機能機が実行するフィード情報解析処理のフローチャートを示す。
【図８】多機能機が実行するフィード情報表示処理のフローチャートを示す。
【図９】多機能機が実行する省電力モード移行処理のフローチャートを示す。
【図１０】多機能機が実行する省電力モード解除処理のフローチャートを示す。
【図１１】ＰＣが実行する通知監視処理のフローチャートを示す。
【図１２】多機能機が実行する省電力モード解除処理のフローチャートを示す（第４実施例）。
【図１３】表示履歴情報の一例を示す。
【符号の説明】
【００８３】
２：多機能機システム、１０：多機能機、５０：表示パネル、７０，７１：ＰＣ、９０，９１：コンテンツ提供サーバ、１０２：サイトのＵＲＬ、１１２：表示情報、１２０：サイト情報、１２２：サイトタイトル文字列、１２４：フィード更新日時情報、１３２：更新コンテンツ情報、１４０：コンテンツタイトル文字列、１４２：コンテンツ更新日時情報、１４４：コンテンツ要約文字列、１４６：コンテンツＵＲＬ
【図２】
2010061503.tif 000003
【図３】
2010061503.tif 000004
【図４】
2010061503.tif 000005
【図５】
2010061503.tif 000006
【図６】
2010061503.tif 000007
【図７】
2010061503.tif 000008
【図８】
2010061503.tif 000009
【図９】
2010061503.tif 000010
【図１０】
2010061503.tif 000011
【図１１】
2010061503.tif 000012
【図１２】
2010061503.tif 000013
【図１３】
2010061503.tif 000014
【図１】
2010061503.tif 000015